(57)【要約】【課題】架台フレームに対して斜辺フレームを強固に固定できる太陽光発電装置を提供する。【解決手段】太陽光発電装置は、斜辺フレーム１３ｃを有する太陽電池モジュールと、斜辺フレーム１３ｃが所定の鋭角θをなした状態で載せられる架台フレーム３０と、斜辺フレーム１３ｃを架台フレーム３０に固定するための固定金具４０とを備える。固定金具４０は、架台フレーム３０の幅方向両側で長手方向に延伸する一対のガイド溝３８に両端部４３，４４がスライド可能に挿し込まれる基部４１と、基部４１と一体的に設けられて斜辺フレーム１３ｃに係合する鉤部４２とを有する。基部４１の両端部４３，４４は、ガイド溝３８の延伸方向と平行で且つ斜辺フレーム１３ｃに対して所定の鋭角θをなす縁部４３ａ，４４ａをそれぞれ有して、ガイド溝３８に対して矩形状領域６０で係合する。【選択図】図５
2018035537.tif 000002
【特許請求の範囲】
【請求項１】
屋根の軒棟方向及び桁方向に対して交差する方向に延びた斜辺を含む平面視多角形状の太陽電池パネルと、当該パネルの前記斜辺に沿って設置された斜辺フレームとを有する太陽電池モジュールと、
前記屋根の軒棟方向又は桁方向に沿うように配置される長尺状の架台フレームであって、前記斜辺フレームが前記架台フレームの長手方向に対して所定の鋭角をなした状態で載せられる、架台フレームと、
前記斜辺フレームを前記架台フレームに固定するための固定金具と、
を備え、
前記固定金具は、前記架台フレームの幅方向両側に長手方向へ延伸して設けられた一対のガイド溝に両端部がスライド可能にそれぞれ挿し込まれる基部と、前記基部と一体的に設けられて前記斜辺フレームに係合する鉤部とを有し、
前記一対のガイド溝に係合する前記基部の両端部は、前記ガイド溝の延伸方向と平行で且つ前記斜辺フレームに対して前記所定の鋭角をなす縁部をそれぞれ有して、前記ガイド溝に対して矩形状領域で係合する、
太陽光発電装置。
【請求項２】
請求項１に記載の太陽光発電装置において、
前記基部における前記ガイド溝と係合する矩形状領域には、前記ガイド溝の内壁面に当接する突起が形成されている、太陽光発電装置。
【請求項３】
請求項１または２に記載に太陽光発電装置において、
前記固定金具の基部の両端部は、各端部の中心を通る前記斜辺フレームに平行な直線に対して対称な形状を有する、太陽光発電装置。
【発明の詳細な説明】
【技術分野】
【０００１】
本開示は、太陽光発電装置に関する。
【背景技術】
【０００２】
太陽電池モジュールは、太陽電池パネルと、当該パネルの端縁部に設置されたモジュールフレームとを備える（例えば、特許文献１参照）。特許文献１に開示されるように、太陽電池モジュールは平面視矩形形状を呈するものが一般的であるが、例えば寄棟屋根、方形屋根等に矩形形状の太陽電池モジュールを設置すると、屋根の桁方向の端部近傍にモジュールを設置できないスペースが形成される。そこで、屋根の軒棟方向及び桁方向に対して交差する方向に延びた斜辺を含む平面視多角形状の太陽電池パネルを有し、かかるスペースに設置可能な太陽電池モジュール（以下、「異形モジュール」という場合がある）が開発されている。異形モジュールは、例えば斜辺部分が屋根の隅棟部に沿うように配置される。
【０００３】
なお、太陽電池モジュールは、屋根に固定された長尺状の架台フレーム上に複数載置されて太陽光発電装置を構成する。架台フレーム上にはモジュールフレームが載せられ、固定金具を用いてモジュールフレームが架台フレームに固定される（例えば、特許文献２参照）。
【先行技術文献】
【特許文献】
【０００４】
【特許文献１】特開２０１５−１９５６６３号公報
【特許文献２】特開２０１５−０６３８２５号公報
【発明の概要】
【発明が解決しようとする課題】
【０００５】
ところで、異形モジュールは、太陽電池パネルの上記斜辺に沿って設置された斜辺フレームを有する。異形モジュールを用いて太陽光発電装置を構築する場合、装置の耐荷重性を確保するために、斜辺フレームを架台フレーム上に載置し、固定金具を用いて架台フレームに固定する必要がある。しかし、屋根の軒棟方向に沿うように架台フレームを配置し、斜辺フレームが隅棟部に沿うように異形モジュールを配置すると、各フレームが非直角に交わり、従来の固定金具では強固に固定できない場合がある。
【課題を解決するための手段】
【０００６】
本開示に係る太陽光発電装置は、屋根の軒棟方向及び桁方向に対して交差する方向に延びた斜辺を含む平面視多角形状の太陽電池パネルと、当該パネルの斜辺に沿って設置された斜辺フレームとを有する太陽電池モジュールと、屋根の軒棟方向又は桁方向に沿うように配置される長尺状の架台フレームであって、斜辺フレームが架台フレームの長手方向に対して所定の鋭角をなした状態で載せられる、架台フレームと、斜辺フレームを架台フレームに固定するための固定金具と、を備え、固定金具は、架台フレームの幅方向両側に長手方向へ延伸して設けられた一対のガイド溝に両端部がスライド可能にそれぞれ挿し込まれる基部と、基部と一体的に設けられて斜辺フレームに係合する鉤部とを有し、一対のガイド溝に係合する基部の両端部は、ガイド溝の延伸方向と平行で且つ斜辺フレームに対して所定の鋭角をなす縁部をそれぞれ有して、ガイド溝に対して矩形状領域で係合するものである。
【発明の効果】
【０００７】
本開示の一態様によれば、架台フレームに対して異形モジュールの斜辺フレームを強固に固定できる。
【図面の簡単な説明】
【０００８】
【図１】実施形態の一例である太陽光発電装置を示す図である。
【図２】実施形態の一例である太陽電池モジュール（異形モジュール）の平面図である。
【図３】図２中のＡ−Ａ線断面図である。
【図４】実施形態の一例である架台フレームを示す斜視図である。
【図５】（ａ）は、実施形態の一例である斜辺用固定金具の平面図であり、（ｂ）は（ａ）の斜辺用固定金具によって太陽電池モジュールの斜辺を架台フレームに固定した状態を示す図である。
【図６】図５（ａ）に示した斜辺用固定金具の斜視図である。
【図７】従来の固定金具を用いて太陽電池モジュールの斜辺フレームを固定した状態を示す図である。
【図８】（ａ），（ｂ）は実施形態の別の例である斜辺用固定金具を示す図である。
【図９】実施形態の別の例である太陽光発電装置を示す、図１に対応した図である。
【図１０】実施形態の別の例である太陽電池モジュール（異形モジュール）の平面図である。
【発明を実施するための形態】
【０００９】
本開示の一態様である太陽光発電装置では、固定金具の両端部が架台フレームの一対のガイド溝にそれぞれ矩形状領域で係合した状態で太陽電池モジュールの斜辺フレームが固定される。したがって、従来の固定金具を斜辺フレームの固定に適用した場合に固定金具の両端部がガイド溝に対して三角状領域で係合する場合に比較して、係合領域の面積を大きくできる。その結果、特に、異形モジュールの裏面側から表面側に向かって作用する力（負圧荷重）に対する耐荷重性が向上し、架台フレームに対して異形モジュールの斜辺フレームを強固に固定できる。
【００１０】
本開示の一態様である太陽光発電装置において、基部におけるガイド溝部と係合する矩形状領域には、ガイド溝の内壁面に当接する突起が形成されていてもよい。このようにすれば、ガイド溝内での基部のがたつきが無くなって固定金具を架台フレームにより安定して固定できるとともに、突起を介して太陽電池モジュールから架台フレームへのアースを確保することができる。
【００１１】
また、本開示の一態様である太陽光発電装置において、固定金具の基部の両端部は、各端部の中心を通る斜辺フレームに平行な直線に対して対称な形状を有するのが好ましい。このようにすれば、斜辺フレームが右上から左下に向かって傾斜した状態で異形モジュールが設置される場合と、左上から右下に向かって傾斜した状態で異形モジュールが設置される場合とで、斜辺フレームを固定するための固定金具を共通化でき、太陽電池モジュールの設置に要する部品点数を少なくできる。
【００１２】
以下、実施形態の一例について添付図面を参照しながら詳細に説明する。図面はいずれも模式的に記載されたものであり、図面に描画された構成要素の寸法比率などは以下の説明を参酌して判断されるべきである。なお、本明細書において「略〜」との記載は、略同一を例に説明すると、完全に同一はもとより、実質的に同一と認められる場合を含む意図である。
【００１３】
以下に例示する実施形態では、長尺状の架台フレーム３０が屋根５０の軒棟方向に沿うように配置されている。屋根５０は、隅棟部５２を有する寄棟屋根又は方形屋根である。但し、本開示に係る太陽光発電装置は寄棟屋根、方形屋根以外の屋根に設置されてもよい。
【００１４】
以下では、屋根の桁方向（屋根の軒棟方向に垂直な方向）に沿う方向を「横方向」、屋根の野地板に垂直な方向に沿う方向を「上下方向」という場合がある。図面には、屋根の軒棟方向を矢印α、桁方向・横方向を矢印β、上下方向を矢印γで示す。
【００１５】
図１は、実施形態の一例である太陽光発電装置１０を示す図である。図１に例示するように、太陽光発電装置１０は、平面視で五角形状の太陽電池モジュールである異形モジュール１１を備える。異形モジュール１１は、屋根５０の軒棟方向及び桁方向に対して交差する方向に延びた斜辺１２ｃ（図２参照）を含む平面視で五角形状の太陽電池パネル１２と、当該パネルの斜辺１２ｃに沿って設置された斜辺フレーム１３ｃとを有する。異形モジュール１１は、屋根５０の桁方向両端に位置する隅棟部５２（図１では一方側のみ図示）の近傍において、斜辺部分が隅棟部５２に沿うように配置されている。
【００１６】
太陽光発電装置１０は、屋根５０の軒棟方向に沿うように配置された長尺状の架台フレーム３０と、異形モジュール１１の斜辺フレーム１３ｃを架台フレーム３０に固定するための固定金具４０とを備える。固定金具４０は、斜辺フレーム１３ｃ専用の金具である。なお、架台フレーム３０は取り付け金具（図示せず）を用いて屋根５０の野地板に固定される。
【００１７】
太陽光発電装置１０は、屋根５０の桁方向に沿った太陽電池モジュールの列を備える。太陽電池モジュールの列は、平面視で五角形状の異形モジュール１１、平面視で長方形状の一般モジュール１４、及び平面視で正方形状のハーフモジュール１５を含む。太陽電池モジュールの各列は、例えば列の両端に異形モジュール１１が、異形モジュール１１の横にハーフモジュール１５がそれぞれ配置されて構成される。各ハーフモジュール１５の間には、複数の一般モジュール１４が配置される。
【００１８】
太陽光発電装置１０は、上記太陽電池モジュールの列を複数備える。一般モジュール１４の数は各列で異なり、屋根５０の棟部（図示せず）から軒部５１に近づき屋根５０の桁方向長さが長くなるほど列の長さが長くなる。そして、異形モジュール１１の棟側には太陽電池モジュールが配置されない。太陽光発電装置１０の軒側端部には、桁方向に沿って化粧カバー１６が取り付けられている。
【００１９】
架台フレーム３０は、長手方向一端部に異形モジュール１１の斜辺フレーム１３ｃが載せられる。より詳しくは、架台フレーム３０には、斜辺フレーム１３ｃが架台フレーム１３ｃの長手方向に対して所定の鋭角をなした状態で載せられる。異形モジュール１１の裏側には、架台フレーム３０に加えて架台フレーム３６が配置される。即ち、１枚の異形モジュール１１は２本の架台フレーム３０，３６によって支持されている。各一般モジュール１４及び各ハーフモジュール１５も、２本の架台フレーム３６によって支持されている。図１では、斜辺フレーム１３ｃが載せられる架台フレームを架台フレーム３０とし、他の架台フレーム３６と区別している。
【００２０】
異形モジュール１１を支持する架台フレーム３０，３６は、屋根５０の桁方向に適当な間隔をあけて互いに略平行に配置される。本実施形態では、全ての架台フレーム３０，３６が軒棟方向に沿って、互いに略平行に配置されている。架台フレーム３０，３６は、上述の通り取り付け金具を用いて屋根５０の野地板に固定される。取り付け金具は、太陽光発電装置１０の表側から見えないように、各太陽電池モジュールの裏側に設置される。太陽光発電装置１０は、屋根５０に固定された長尺状の架台フレーム３０，３６上に、複数の異形モジュール１１、一般モジュール１４、及びハーフモジュール１５を並べて設置することで構成される。
【００２１】
図２は、異形モジュール１１の平面図である。図２に例示するように、異形モジュール１１は、斜辺１２ｃを含む平面視で五角形状の太陽電池パネル１２と、当該パネルの端縁部に設置されたモジュールフレーム１３とを有する。太陽電池パネル１２は、例えば複数の太陽電池セルが封止材として機能する２枚の樹脂シート、及びガラス基板等の２枚の保護部材で挟持された構造を有する。モジュールフレーム１３は、太陽電池パネル１２の端縁部を保護し、異形モジュール１１の架台フレーム３０，３６への固定に利用される部材である。一般モジュール１４及びハーフモジュール１５も、太陽電池パネルと、当該パネルの端縁部に設置されたモジュールフレームとを有する。
【００２２】
平面視で五角形状の太陽電池パネル１２は、斜辺１２ｃと、斜辺１２ｃとそれぞれ鈍角に交わる２つの辺１２ｂと、各辺１２ｂとそれぞれ略直交する２つの辺１２ａとを含む。斜辺１２ｃと各辺１２ｂとがなす角度は、例えばいずれも約１３５°である。図２に示す例では、辺１２ａが辺１２ｂより長く、２つの辺１２ａ、２つの辺１２ｂがそれぞれ互いに略同一の長さを有する。各辺１２ａは互いに略直角に交わり、斜辺１２ｃは各辺１２ａに対して所定の鋭角をなして傾斜している。本実施形態では、この所定の鋭角は例えば約４５度である。
【００２３】
モジュールフレーム１３は、太陽電池パネル１２の２つの辺１２ａに沿って設置された第１フレーム１３ａと、２つの辺１２ｂに沿って設置された第２フレーム１３ｂと、斜辺１２ｃに沿って設置された斜辺フレーム１３ｃとを含む。各フレームは、例えばアルミニウム等の金属材料を押出成形して得られる長尺状の部材であって、各々の長手方向端面同士を突き合わせた状態で太陽電池パネル１２の周縁を囲むように設置される。
【００２４】
架台フレーム３０は異形モジュール１１の横方向一方側に、架台フレーム３６は異形モジュール１１の横方向他方側にそれぞれ配置される。架台フレーム３０は、斜辺フレーム１３ｃから第１フレーム１３ａにわたって設けられている。架台フレーム３０の長手方向一端部（以下、「棟側端部」という場合がある）には斜辺フレーム１３ｃが載せられ、架台フレーム３０の長手方向他端部（以下、「軒側端部」という場合がある）には第１フレーム１３ａが載せられている。架台フレーム３６は、第２フレーム１３ｂから第１フレーム１３ａにわたって設けられ、架台フレーム３６上には第２フレーム１３ｂ及び第１フレーム１３ａが載せられている。
【００２５】
斜辺フレーム１３ｃは、固定金具４０を用いて架台フレーム３０に固定される。軒側端部に位置する第１フレーム１３ａは、第１金具１７を用いて架台フレーム３０，３６にそれぞれ固定され、棟側端部に位置する第２フレーム１３ｂは、第２金具１８を用いて架台フレーム３６に固定される。即ち、異形モジュール１１は斜辺部分を含む４箇所で架台フレーム３０，３６に対して固定される。
【００２６】
以下、図３〜図６を参照しながら、モジュールフレーム１３、架台フレーム３０、及び固定金具４０について、さらに詳説する。図３は図２中のＡ−Ａ線断面図である。図３では、斜め切断面となる斜辺フレーム１３ｃが第１フレーム１３ａよりも幅広に示されている。図４は架台フレーム３０を示す斜視図である。図５（ａ）は固定金具４０の平面図であり、図５（ｂ）は固定金具４０によって異形モジュール１１の斜辺フレーム１３ｃを架台フレーム３０に固定した状態を示す図である。図６は、固定金具４０の斜視図である。
【００２７】
図３及び図４に例示するように、架台フレーム３０は、一対の側壁部３２ａ，３２ｂを有する。架台フレーム３０は、側壁部３２ａ，３２ｂの上端同士を連結する上壁部３１と、上壁部３１と略平行に形成され側壁部３２ａ，３２ｂの下端同士を連結する下壁部３３とを有する中空構造のフレームである。側壁部３２ａ，３２ｂは、互いに略平行に形成され、上壁部３１及び下壁部３３に対して略垂直に形成される。上壁部３１の上面には、架台フレーム３０の幅方向両側に、一対の鉤部３４が設けられている。一対の鉤部３４は、架台フレーム３０の長手方向にわたって延伸して形成されている。
【００２８】
架台フレーム３０の上部には、フレームの幅方向に張り出した鍔部３７が形成されている。鍔部３７は、上壁部３１を側壁部３２ａ，３２ｂとの接続部分から幅方向にさらに延ばすことで形成される。そして、上壁部３１の幅方向に張り出した部分である鍔部３７の先端に鉤部３４が形成される。架台フレーム３０は、第１金具１７をスライド可能に支持する一対のガイド溝３８を有する。ガイド溝３８は、上壁部３１と、上壁部３１に立設する鉤部３４とで構成される。なお、架台フレーム３６も架台フレーム３０と同様の構成を備え、第１金具１７、第２金具１８等をスライド可能に支持する一対のガイド溝を有する。
【００２９】
図３に例示するように、架台フレーム３０上に載せられる第１フレーム１３ａ及び斜辺フレーム１３ｃは、中空の角柱形状を有する本体部２０と、モジュールの内側に向かって開口した内溝２２と、モジュールの外側に向かって開口した外溝２４とをそれぞれ有する。また、各フレームはモジュールの内側に張り出した内鍔部２５を有する。各フレームは本体部２０の上面に立設した第１鉤部２１を有し、本体部２０の上面と第１鉤部２１との間に太陽電池パネル１２を挿入可能な隙間である内溝２２が形成される。また、各フレームは本体部２０の下面に立設した第２鉤部２３を有し、本体部２０の下面と第２鉤部２３との間に第１金具１７を挿し込み可能な隙間である外溝２４が形成される。
【００３０】
第１フレーム１３ａは、上述の通り第１金具１７を用いて架台フレーム３０の軒側端部に固定される。第１金具１７は、架台フレーム３０のガイド溝３８を構成する上壁部３１と鉤部３４の間に挿し込まれ、上方に抜けない状態でスライド可能に支持されている。第１金具１７及び上壁部３１には、ボルト１９が挿通される貫通孔が形成されており、第１金具１７はボルト１９を用いて上壁部３１の軒側端部に位置決めされる。そして、第１金具１７が第１フレーム１３ａの外溝２４に挿し込まれて第１フレーム１３ａと係合することで、架台フレーム３０に対して第１フレーム１３ａが固定される。
【００３１】
斜辺フレーム１３ｃは、上述の通り固定金具４０を用いて架台フレーム３０の棟側端部３５に固定される。斜辺フレーム１３ｃは、図５(ｂ)に示すように、架台フレーム３０の長手方向（即ち本実施形態では軒棟方向α）に対して所定の鋭角θ（約４５度）をなした状態で架台フレーム３０に載せられている。なお、架台フレーム３０の棟側端部３５は、斜辺フレーム１３ｃよりも棟側に突出しており、その端面にはカバー部材３９が取り付けられている。
【００３２】
固定金具４０は、図５（ａ）及び図６に例示するように、基部４１と、鉤部４２とを一体的に有する。ここで、「一体的」とは、基部４１と鉤部４２とが金属板によって一体に形成される場合を含むほかに、別部材として形成された基部と鉤部とがネジ止めや溶接等によって一体に組み付けられている場合を含むことを意図している。
【００３３】
基部４１は、架台フレーム３０の上壁部３１上に載置される板状の部分である。固定金具４０は、架台フレーム３０の棟端面から一対のガイド溝３８に基部４１の両端部４３，４４がそれぞれ挿し込まれた状態で配置される。また、基部４１の両端部４３，４４は、架台フレーム３０の長手方向に対して所定の角度（約４５）をなす縁部４３ａ，４４ａを有する。各縁部４３ａ，４４ａは、上記のようにしてガイド溝３８に固定金具４０の基部４１が挿入された状態で、ガイド溝３８の延伸方向（即ち、架台フレーム３０の長手方向）と平行に形成されている。これにより、固定金具４０は、一対のガイド溝３８によって架台フレーム３０の長手方向にスライド可能に支持される。
【００３４】
固定金具４０の鉤部４２は、斜辺フレーム１３ｃの外溝２４に挿し込まれる部分がある。鉤部４２は、基部４１から略垂直に立ち上がった立壁部４５と、立壁部４５の上端から基部４１と略平行に折れ曲がった挿入部４６とを含む。鉤部４２は、固定金具４０の中央部分において所定長さＬで形成されている。以下において、この鉤部４２の長さＬに沿った方向を固定金具４０の「長さ方向」といい、これに直交する方向を固定金具４０の「幅方向」という。
【００３５】
鉤部４２の長さ方向は、図５（ｂ）に示すように、基部４１の両端部４３，４４が一対のガイド溝３８に挿入された状態で、斜辺フレーム１３ｃの外側面Ｓ１に沿う方向に一致する。即ち、鉤部４２は、その長さ方向が基部４１の両端部４３，４４の各縁部４３ａ，４４ａに対して所定の鋭角（約４５度）をなして形成されている。これにより、図５（ｂ）に示すように、架台フレーム３０に固定金具４０がスライド可能に保持された状態で、鉤部４２の挿入部４６が斜辺フレーム１３ｃに沿って外溝２４に挿し込まれて係合する（図３参照）。鉤部４２において立壁部４５からの挿入部４６の突出長さは、斜辺フレーム１３ｃの外溝２４の奥行深さよりも短く形成されている。そのため、挿入部４６は、先端が外溝２４の奥壁部に干渉することなく挿入可能である。
【００３６】
図５（ａ）を参照すると、基部４１の各端部４３，４４は、各端部４３，４４の中心を通って鉤部４２の幅方向（斜辺フレーム１３ｃの長手方向）に平行な直線４７に対して対称な形状を有する。即ち、各端部４３，４４は、上記直線４７に対して所定の鋭角θをなす縁部４３ａ，４４ａの反対側に、上記直線４７に対して更に所定の鋭角θをなす別の縁部４３ｂ，４４ｂを有する。各縁部４３ｂ，４４ｂは互いに平行に形成されている。つまり、基部４１の端部４３，４４は、各縁部４３ａ，４３ｂ，４４ａ，４４ｂによって、頂角２θの三角形状に突出してそれぞれ形成されている。本実施形態では、上記頂角２θは約４５度×２＝約９０度である。
【００３７】
このように基部４１の両端部４３，４４が対称形状に形成されていることで、斜辺フレーム１３ｃの傾斜方向にかかわらず固定金具４０を用いることができる。即ち、図５（ｂ）に示すように、斜辺フレーム１３ｃが右上から左下に傾斜した状態（図５（ｂ）参照）で異形モジュール１１が設置される場合には、互いに平行な各縁部４３ａ，４４ａがガイド溝３８の奥壁部に沿ってガイドされる。他方、斜辺フレーム１３ｃが左上から右下した傾斜した状態で異形モジュール１１が設置された場合には、互いに平行な各縁部４３ｂ，４４ｂがガイド溝３８の奥壁部に沿ってガイドされることになる。このように固定金具４０を斜辺フレーム１３ｃの傾斜方向にかかわらず共通化できることで、異形モジュール１１を含む太陽光発電装置１０の設置に必要な部品点数を少なくできる。
【００３８】
再び図５（ａ）及び図６を参照すると、固定金具４０の基部４１の両端部４３，４４には、上向きに凸状の突起４８が形成されている。突起４８は、例えばプレス成形によって屈曲した形状に形成されている。また、突起４８は、各縁部４３ａ，４３ｂ，４４ａ，４４ｂに１つずつ、合計４つ形成されている。突起４８の突出高さは、基部４１の両端部４３，４４が一対のガイド溝３８に挿入されたときに、ガイド溝３８の上壁面（内壁面）に当接する程度に設定されている。このような突起４８を設けることで、ガイド溝３８内での基部４１のがたつきが無くなって固定金具４０を架台フレームにより安定して固定できるとともに、突起４８を介して異形モジュール１１から架台フレーム３０へのアースを安定して確保することができる。
【００３９】
また、鉤部４２の挿入部４６の長さ方向両端にも、突起４９が形成されている。突起４９は、下向きに凸状に形成されている。突起４９も同様に、例えばプレス成形によって屈曲した形状に形成されている。このように鉤部４２に突起４９を形成することで、斜辺フレーム１３ｃの外溝２４に挿入されたときに、外溝２４の下壁面（内壁面）に当接する。これにより、外溝２４内での挿入部４６のがたつきが無くなって固定金具４０を斜辺フレーム１３ｃにより安定した状態で挿入できるとともに、突起４９を介して異形モジュール１１から架台フレーム３０へのアースを安定して確保することができる。
【００４０】
続いて、架台フレーム３０，３６への異形モジュール１１の設置について説明する。
【００４１】
まず、屋根５０に固定された架台フレーム３０，３６の軒側端部に２つの第１金具１７をボルト１９によってそれぞれ固定する。そして、架台フレーム３０，３６上に異形モジュール１１を載置し、軒側端部に位置する第１フレーム１３ａの外溝２４に２つの第１金具１７をそれぞれ挿入する。これにより、架台フレーム３０，３６上で異形モジュール１１が位置決めされる。
【００４２】
次に、第２金具１８を用いて異形モジュール１１の棟側端部に位置する第２フレーム１３ｂを架台フレーム３０に固定する。そして、図５（ｂ）に示すように、固定金具４０を架台フレーム３０の棟側端部からガイド溝３８に挿入し、鉤部４２の挿入部４６を斜辺フレーム１３ｃの外溝２４に挿入した状態に位置決めする。この状態で、ネジ頭部が鉤部４２の立壁部４５に接する位置でネジ６２を架台フレーム３０の上壁部３１にねじ込む。ネジ６２には、例えばドリルネジを用いることができる。これにより、固定金具４０が回転移動できない状態に固定され、斜辺フレーム１３ｃが架台フレーム３０に固定される。
【００４３】
このように架台フレーム１３ｃに固定された固定金具４０は、基部４１の長さ方向の両端部４３，４４がガイド溝３８に矩形状領域で係合した状態になる。
【００４４】
図７（ａ），（ｂ）に、従来の固定金具４０Ａを用いて異形モジュール１１の斜辺フレーム１３ｃを固定した状態を示す。この固定金具４０Ａは、太陽電池モジュールにおいて桁方向に沿って配置されるフレーム部分（例えば、第２フレーム１３ｂ）を架台フレームに固定するために用いられるものを斜辺フレーム１３ｃの固定に適用したものである。固定金具４０Ａは、基部４１Ａと、鉤部４２とを有する。鉤部４２は本実施形態の固定金具４０と同様である。これに対し、基部４１Ａの両端部４３Ａ，４４Ａが、固定金具４０Ａの幅方向に沿った縁部４３ｄ，４４ｄを有する点において、本実施形態の固定金具４０とは相違する。
【００４５】
図７（ｂ）に示すように、従来の固定金具４０Ａを用いて斜辺フレーム１３ｃを架台フレーム３０に固定した場合、基部４１Ａの各端部４３Ａ，４４Ａの角部（ハッチングで示す三角領域）６０Ａがガイド溝３８に係合する。この場合、ガイド溝３８に対する固定金具４０Ａの基部４１Ａの係合面積が小さくなり、特に異形モジュール１１の裏側から押し上げる力（負圧荷重）に対する耐荷重性が低下することになる。また、基部４１Ａの突起４８がガイド溝３８からはずれて位置するため、がたつき防止やアース確保を実現できない。
【００４６】
これに対し、本実施形態における固定金具４０によれば、図５（ｂ）に示すように、ハッチングで示される矩形状領域６０でガイド溝３８に係合する（または引っ掛かる）ことができる。これにより、基部４１のガイド溝３８との係合面積が大きくなり、負圧荷重に対する耐荷重性が向上する。したがって、架台フレーム３０に対して異形モジュール１１の斜辺フレーム１３ｃをより強固に固定できる。また、基部４１の突起４８がガイド溝３８内に位置するため、異形モジュール１１についてがたつき防止およびアース確保を図れる。
【００４７】
なお、上述した実施形態は例示にすぎず、本開示の目的の範囲内で種々の変更が可能である。
【００４８】
例えば、上記においては、固定金具４０の長さ方向両側の端部４３，４４を対称形状に形成して、斜辺フレーム１３ｃの傾斜方向にかかわらず共通化できるようにしたが、これに限定されるものでない。図８（ａ）に示すように、基部４１の各端部４３，４４が互いに平行な縁部４３ａ，４４ａだけを有し、左下がり傾斜で設置された斜辺フレームの固定に特化した固定金具４０Ｂとしてもよい。また、図８（ｂ）に示すように、基部４１の各端部４３，４４が互いに平行な縁部４３ｂ，４４ｂだけを有し、右下がり傾斜で設置された斜辺フレームの固定に特化した固定金具４０Ｃとしてもよい。
【００４９】
また、上記おいては架台フレーム３０，３６が屋根５０の軒棟方向に沿って配置された例について説明したが、図９及び図１０に示すように、架台フレーム３０，３６が屋根５０の桁方向βに沿って配置される場合に、異形モジュール１１の斜辺部の固定に上述した固定金具４０が適用されてもよい。
【符号の説明】
【００５０】
１０  太陽光発電装置、１１  異形モジュール、１２  太陽電池パネル、１２ａ，１２ｂ  辺、１２ｃ  斜辺、１３  モジュールフレーム、１３ａ  第１フレーム、１３ｂ  第２フレーム、１３ｃ  斜辺フレーム、１４  一般モジュール、１５  ハーフモジュール、１６  化粧カバー、１７  第１金具、１８  第２金具、１９  ボルト、２０  本体部、２１  第１鉤部、２２  内溝、２３  第２鉤部、２４  外溝、２５  内鍔部、３０，３６  架台フレーム、３１  上壁部、３２ａ，３２ｂ  側壁部、３３  下壁部、３４  鉤部、３５  棟側端部、３７  鍔部、３８  ガイド溝、４０，４０Ａ，４０Ｂ，４０Ｃ  固定金具、４１  基部、４２  鉤部、４３，４４  （基部の）端部、４３ａ，４３ｂ，４４ａ，４４ｂ  縁部、４５  立壁部、４６  挿入部、４７  直線、４８，４９  突起、５０  屋根、５１  軒部、５２  隅棟部、６０  矩形状領域、６２  ネジ、Ｓ１  （斜辺フレームの）外側面。
【図１】
2018035537.tif 000003
【図２】
2018035537.tif 000004
【図３】
2018035537.tif 000005
【図４】
2018035537.tif 000006
【図５】
2018035537.tif 000007
【図６】
2018035537.tif 000008
【図７】
2018035537.tif 000009
【図８】
2018035537.tif 000010
【図９】
2018035537.tif 000011
【図１０】
2018035537.tif 000012